(57)【要約】【課題】肌面に対する影響を抑制しつつ、体毛を効率的に起毛させることができる電気かみそりを提供する電気かみそりを提供する。【解決手段】使用者が把持する電気かみそり本体３と、該電気かみそり本体３の端部に配設される外刃１１と、該外刃１１の内方に配設されて前記外刃１１の長手方向に沿って往復移動する内刃１３と、を備えた電気かみそりである。前記外刃１１の長手方向桟３１を構成する支持体４３は弾性部材から形成され、この支持体４３に起毛部４７が設けられている。【選択図】図６
2011147647.tif 000002
【特許請求の範囲】
【請求項１】
使用者が把持する電気かみそり本体と、該電気かみそり本体の端部に配設される外刃と、該外刃の内方に配設されて前記外刃の長手方向に沿って往復移動する内刃と、を備え、前記外刃は桟によって刃穴が画成され、前記刃穴に体毛を挿入させ、前記外刃と内刃で体毛を切断する電気かみそりであって、
前記外刃の桟に、外刃が肌面上を移動する際に体毛に当接して肌面に対して体毛を起立させる起毛部を設けると共に、
少なくとも前記起毛部が弾性を有することを特徴とする電気かみそり。
【請求項２】
前記桟は、前記外刃の長手方向に沿って延設される長手方向桟と、前記長手方向に交差する短手方向に沿って延設される短手方向桟とからなり、前記長手方向桟に起毛部を設けたことを特徴とする請求項１に記載の電気かみそり。
【請求項３】
前記長手方向桟は、短手方向桟に結合された桟本体と、該桟本体と別体で形成されると共に前記桟本体に結合された支持体とから構成され、この支持体に前記起毛部を設けたことを特徴とする請求項２に記載の電気かみそり。
【請求項４】
前記桟本体と支持体とを凹凸結合させたことを特徴とする請求項３に記載の電気かみそり。
【請求項５】
前記支持体を中空構造に形成したことを特徴とする請求項３または４に記載の電気かみそり。
【請求項６】
前記起毛部は、前記長手方向桟の短手方向の両端に設けたことを特徴とする請求項２〜５のいずれか１項に記載の電気かみそり。
【発明の詳細な説明】
【技術分野】
【０００１】
本発明は、電気かみそりに関する。更に詳しくは、肌面に対する角度が小さい体毛を起こす起毛作用を有する起毛部を設けた電気かみそりに関する。
【背景技術】
【０００２】
従来から、体毛を剃る種々の電気かみそりが開発されている。ここで、体毛の延びている方向と肌面とのなす角度は起毛角と呼ばれているが、起毛角が大きい（例えば、４５°〜６０°）体毛は剃りやすいが、起毛角が小さい（例えば、３０°以下）体毛は剃りにくいという問題がある。この起毛角が小さい体毛に対して、体毛を起こす起毛部を設けた電気かみそりが開発されている（例えば、特許文献１参照）。
【先行技術文献】
【特許文献】
【０００３】
【特許文献１】特許第３０８３５４８号公報
【発明の概要】
【発明が解決しようとする課題】
【０００４】
ところで、前記特許文献１によれば、電気かみそりの使用時には、肌面上に沿って起毛部が移動するため、起毛部によって肌面にダメージを与えるおそれがあった。
【０００５】
そこで、本発明は、肌面に対する影響を抑制しつつ、体毛を効率的に起毛させることができる電気かみそりを提供することを目的とする。
【課題を解決するための手段】
【０００６】
前記課題を解決するため、本発明に係る電気かみそりは、使用者が把持する電気かみそり本体と、該電気かみそり本体の端部に配設される外刃と、該外刃の内方に配設されて前記外刃の長手方向に沿って往復移動する内刃と、を備え、前記外刃は桟によって刃穴が画成され、前記刃穴に体毛を挿入させ、前記外刃と内刃で体毛を切断する電気かみそりであって、前記外刃の桟に、外刃が肌面上を移動する際に体毛に当接して肌面に対して体毛を起立させる起毛部を設けると共に、少なくとも前記起毛部が弾性を有することを特徴とする。
【発明の効果】
【０００７】
本発明に係る電気かみそりによれば、起毛部が弾性を有する構造になっているため、起毛部が肌面に過度に接触することを防止することができ、体毛を剃る際の肌への刺激を軽減することができる。また、起毛角が小さい体毛について、電気かみそり本体を肌面上を移動させるという簡単な動作で自動的に起毛させることができる。
【図面の簡単な説明】
【０００８】
【図１】本発明の実施形態による電気かみそりを示す正面図である。
【図２】内刃を示す斜視図である。
【図３】上側ハウジングを示す斜視図である。
【図４】外刃を側方から見た概略図である。
【図５】図４のＡ−Ａ線による断面図である。
【図６】図５の斜視図である。
【図７】変形例１による長手方向桟を示す一部断面の斜視図である。
【図８】変形例２による長手方向桟を示す一部断面の斜視図である。
【図９】変形例３による長手方向桟を示す一部断面の斜視図である。
【図１０】変形例４による長手方向桟を示す一部断面の斜視図である。
【図１１】変形例５による長手方向桟を示す一部断面の斜視図である。
【図１２】変形例６による長手方向桟を示す一部断面の斜視図である。
【図１３】変形例７による長手方向桟を示す一部断面の斜視図である。
【図１４】変形例８による長手方向桟を示す一部断面の斜視図である。
【図１５】変形例９による長手方向桟を示す一部断面の斜視図である。
【発明を実施するための形態】
【０００９】
以下、本発明を適用した具体的な実施の形態について図面を参照しながら詳細に説明する。
【００１０】
図１は本発明の実施形態による電気かみそりを示す正面図、図２は内刃を示す斜視図、図３は上側ハウジングを示す斜視図である。
【００１１】
図１に示すように、本実施形態による電気かみそり１は、使用者が把持する下側ハウジング７と、該下側ハウジング７に連結された上側ハウジング５と、該上側ハウジング５の先端に設けられた主刃４とを備えている。下側ハウジング７には、押圧式のスイッチが配置され、これらのおよび下側ハウジング７で電気かみそり本体３が構成される。また、図１，２に示すように、前記主刃４は、外方に配置された外刃１１と、該外刃１１の内方に配置され、長手方向２３（図３参照）に往復移動する内刃１３とからなる。
【００１２】
そして、図３に示すように、上側ハウジング５には、ハウジング本体１５と、該ハウジング本体１５の上端に配置された第１の外刃１７、第２の外刃１９、第３の外刃２１とが設けられている。これらの第１〜第３の外刃１７，１９，２１からなる外刃１１は長手方向２３に沿って延びており、短手方向の両端には第１の外刃１７と第３の外刃２１とが配置され、これらの第１の外刃１７と第３の外刃２１との間には第２の外刃１９が配置されている。
【００１３】
図４は、外刃を側方から見た概略図である。なお、本実施形態では、外刃１９について詳細に説明する。
【００１４】
図４における一点鎖線は頂部の短手方向の中心を通る中心線である。図４に示すように、短手方向２５に沿って短手方向桟３５が延びており、長手方向２３に沿って長手方向桟３１が延びており、これらの桟３５，３１によって平面視略六角状の刃穴３６が画成されている。この刃穴３６は、体毛が挿入可能な大きさに形成されている。
【００１５】
図５は図４のＡ−Ａ線による断面図、図６は図５の斜視図である。
【００１６】
これらの図５，６に示すように、長手方向桟３１は、下側に配置されて短手方向桟に結合された桟本体４１と、上側に配置されて桟本体４１に結合した支持体４３とを備え、該支持体４３は桟本体４１とは別体に構成されると共に、これらの桟本体４１と支持体４３とは接合層４５を介して接合されている。また、支持体４３の短手方向の両端に起毛部４７，４７が形成されている。この起毛部４７は、肌面に対する体毛の延びている方向の角度である起毛角が小さい体毛を起立させる作用を有する。
【００１７】
また、前記支持体４３は、ゴムや合成樹脂等の弾性部材からなり、前記桟本体４１はステンレスやニッケル等の金属からなる。桟本体４１の上面に接着剤を塗布したのち、支持体４３を押し付けて乾燥させることによって、長手方向桟３１が形成される。但し、この接合層４５は必須ではなく、支持体４３が桟本体４１に接合しにくい場合や大きな接合力を必要とする場合に設けられる。即ち、通常は支持体４３を直接に桟本体４１に接合させる。
【００１８】
なお、前記合成樹脂として、蛍光機能、保湿機能、潤滑機能を有する樹脂を用いることが好ましい。蛍光機能を有する樹脂を支持体４３に用いれば、暗い場所においても容易に電気かみそり１を見つけることができるという効果がある。
【００１９】
図７は、変形例１による長手方向桟を示す一部断面の斜視図である。
【００２０】
この長手方向桟５１は、下側に配置された桟本体５３と、該桟本体５３の上側に配置された支持体５５とから構成されている。桟本体５３の上面には、上方に突出する凸部５７が設けられており、支持体５５の下面には、この凸部５７に嵌合可能な凹部５８が形成されている。凹部５８に凸部５７を嵌合させることによって、桟本体５３と支持体５５とが結合される。なお、支持体５５の先端に起毛部５９が形成され、支持体５５は前述した支持体４３と同様に弾性部材から形成されている。
【００２１】
図８は、変形例２による長手方向桟を示す一部断面の斜視図である。
【００２２】
この長手方向桟６１は、下側に配置された桟本体６３と、該桟本体６３の上側に配置された支持体６５とから構成されている。支持体６５の短手方向の両端に起毛部が形成され、支持体６５は前述した支持体４３と同様に弾性部材から形成されている。また、支持体６５の内部は中空部６７であり、支持体６５は中空構造に形成されている。
【００２３】
図９は、変形例３による長手方向桟を示す一部断面の斜視図である。
【００２４】
この長手方向桟７１は、下側に配置された桟本体７３と、該桟本体７３の上面における短手方向の両端に配置された支持体７５とから構成されている。支持体７５は前述した支持体４３と同様に弾性部材から形成されている。
【００２５】
図１０は、変形例４による長手方向桟を示す一部断面の斜視図である。
【００２６】
この長手方向桟８１は、下側に配置された桟本体８３と、該桟本体８３の上側に配置された支持体８５とから一体形成されている。長手方向桟８１の材質は、前述した桟本体４１のようにステンレスやニッケル等の金属からなる。ここで、支持体８５は連結部８７を介して桟本体８３と連結されている。従って、前端に起毛部８９が設けられた支持体８５は、連結部８７を中心として上下方向に弾性変形可能に構成されている。
【００２７】
図１１は、変形例５による長手方向桟を示す一部断面の斜視図である。
【００２８】
この長手方向桟９１は、下側に配置された桟本体９３と、該桟本体９３の上側に配置された支持体９５とから一体形成されている。長手方向桟９１の材質は、前述した桟本体４１のようにステンレスやニッケル等の金属からなる。ここで、支持体９５も上下方向に弾性変形可能に構成されている。
【００２９】
図１２は、変形例６による長手方向桟を示す一部断面の斜視図である。
【００３０】
この長手方向桟１０１は、下側に配置された桟本体１０３と、該桟本体１０３の上側に配置された支持体１０５とから構成されている。支持体１０５は、前述した支持体４３と同様に弾性部材から形成されており、短手方向の両端が起毛部１０９，１０９に形成されている。
【００３１】
図１３は、変形例７による長手方向桟を示す一部断面の斜視図である。
【００３２】
この長手方向桟１１１は、下側に配置された桟本体１１３と、該桟本体１１３の上側に配置された支持体１１５とから構成されている。支持体１１５は、前述した支持体４３と同様に弾性部材から形成されており、短手方向の両端が起毛部１１９，１１９に形成されている。
【００３３】
図１４は、変形例８による長手方向桟を示す一部断面の斜視図である。
【００３４】
この長手方向桟１２１は、下側に配置された桟本体１２３と、該桟本体１２３の上側に配置された支持体１２５とから一体形成されている。長手方向桟１２１の材質は、前述した桟本体４１のようにステンレスやニッケル等の金属からなる。ここで、支持体１２５も上下方向に弾性変形可能に構成されている。
【００３５】
図１５は、変形例９による長手方向桟を示す一部断面の斜視図である。
【００３６】
この長手方向桟１３１は、下側に配置された桟本体１３３と、該桟本体１３３の上側に配置された支持体１３５とから構成されている。支持体１３５は、前述した支持体４３と同様に弾性部材から形成されており、短手方向の両端に支持体１３５，１３５が設けられている。これらの支持体１３５，１３５は、起毛部であり、内部に中空部１３７を有する中空構造に形成されている。
【００３７】
以下に、本実施形態による作用効果を説明する。
【００３８】
（１）本実施形態に係る電気かみそり１は、使用者が把持する電気かみそり本体３と、該電気かみそり本体３の端部に配設される外刃１１と、該外刃１１の内方に配設されて前記外刃１１の長手方向に沿って往復移動する内刃１３と、を備え、前記外刃１１は桟によって刃穴３６が画成され、前記刃穴３６に体毛を挿入させ、前記外刃１１と内刃１３で体毛を切断する電気かみそりであって、前記外刃１１の桟に、外刃１１が肌面上を移動する際に体毛に当接して肌面に対して体毛を起立させる起毛部４７，５９，８９，１０９，１１９を設けると共に、少なくとも前記起毛部が弾性を有する。
【００３９】
このように、起毛部４７，５９，８９，１０９，１１９が弾性を有する構造になっているため、起毛部が肌面に過度に接触することを防止することができ、体毛を剃る際の肌への刺激を軽減することができる。
【００４０】
（２）前記桟は、前記外刃１１の長手方向に沿って延設される長手方向桟３１と、前記長手方向に交差する短手方向に沿って延設される短手方向桟３５とからなり、前記長手方向桟３１に起毛部４７，５９，８９，１０９，１１９を設けている。
【００４１】
従って、電気かみそり本体３を短手方向に沿って肌面上を移動させることで容易に起毛させることができる。
【００４２】
（３）前記長手方向桟３１は、短手方向桟３５に結合された桟本体４１，５３，６３，７３，１０３，１３３と、該桟本体４１，５３，６３，７３，１０３，１３３と別体で形成されると共に前記桟本体に結合された支持体４３，５５，６５，７５，１０５，１１５，１３５とから構成され、この支持体４３，５５，６５，７５，１０５，１１５，１３５に前記起毛部を設けている。
【００４３】
このように、支持体を桟本体とは別体で形成することにより、支持体が摩耗や損傷等した場合に、支持体のみを交換することができる。
【００４４】
（４）前記桟本体５３と支持体５５とを凹部５８および凸部５７を介して凹凸結合させているため、前記桟本体５３と支持体５５とを容易に結合させることができる。
【００４５】
（５）前記支持体６５，１３５に中空部６７，１３７を形成することによって中空構造に形成しているため、支持体６５，１３５の弾性力を更に高めることができる。
【００４６】
（６）前記起毛部は、前記長手方向桟３１の短手方向の両端に設けているため、電気かみそり本体３を、前記短手方向の一方方向および他方方向のいずれの方向に移動させても、体毛を起立させることができるため、使用者の使い勝手が良好となるという効果がある。
【００４７】
なお、本発明は、前述した実施形態に限定されず、本発明の趣旨に基づいて種々の変更が可能である。例えば、長手方向桟の先端部は、肌面に刺激を起こさないエッヂとして所定の曲率半径を有する円弧状に形成したが、先端部を多角形としても良い。この多角形は、特に鈍角に形成することが好ましい。
【符号の説明】
【００４８】
１  電気かみそり
３  電気かみそり本体
５  上側ハウジング（電気かみそり本体）
７  下側ハウジング（電気かみそり本体）
１１  外刃
１３  内刃
１７  第１の外刃（外刃）
１９  第２の外刃（外刃）
２１  第３の外刃（外刃）
２３  長手方向
２５  短手方向
３１  長手方向桟
３５  短手方向桟
３６  刃穴
４１，５３，６３，７３，１０３，１３３  桟本体
４３，５５，６５，７５，１０５，１１５，１３５  支持体
４７，５９，８９，１０９，１１９  起毛部
５７  凸部
５８  凹部
６７，１３７  中空部
【図１】
2011147647.tif 000003
【図２】
2011147647.tif 000004
【図３】
2011147647.tif 000005
【図４】
2011147647.tif 000006
【図５】
2011147647.tif 000007
【図６】
2011147647.tif 000008
【図７】
2011147647.tif 000009
【図８】
2011147647.tif 000010
【図９】
2011147647.tif 000011
【図１０】
2011147647.tif 000012
【図１１】
2011147647.tif 000013
【図１２】
2011147647.tif 000014
【図１３】
2011147647.tif 000015
【図１４】
2011147647.tif 000016
【図１５】
2011147647.tif 000017